(57)【要約】      （修正有）【課題】電子データの中から特定の情報を容易に抽出し、処理することができるしおり処理システムを提供する。【解決手段】しおり処理システム１００において、利用者は、ノート３の所定のページに記入した内容が重要である場合、当該ページの一部を折り、しおりエリアにチェックマークを記入する。サーバ５は、記入情報に基づいてページ座標テーブル５０４を参照することにより、利用者が記入したページのページ番号を特定する。さらに、サーバ５は、記入情報に基づいてしおり座標テーブル５０６を参照することにより、利用者が記入したページに対応するしおりエリアにチェックマークが記入されたか否かを判定する。当該しおりエリアにチェックマークが記入されたと判定した場合、ページ番号をキーとして、対応する記入情報及びしおり情報を記憶する。【選択図】    図９
2005293463.tif 000002
【特許請求の範囲】
【請求項１】
電子ペンにより認識可能なドットパターンが印刷された電子ペン用帳票を使用したしおり処理システムにおいて、
前記電子ペン用帳票は、記入者が前記電子ペンにより記入を行うものであって、当該帳票の一部を折り曲げることが可能であり、
前記しおり処理システムは、
前記電子ペン用帳票を識別する帳票識別情報に対応付けて、当該帳票を折り曲げることにより特定されるしおりエリアを示す前記ドットパターン上の位置座標が記憶された座標情報を取得する座標情報取得手段と、
前記電子ペン用帳票に記入された記入情報を取得する記入情報取得手段と、
前記記入情報に基づいて、前記帳票識別情報を特定する特定手段と、
前記記入情報に基づいて前記座標情報を参照することにより、前記特定手段が特定した前記帳票識別情報に対応する前記しおりエリアにストロークが記入されたか否かを判定する判定手段と、
前記判定手段が前記しおりエリアに前記ストロークが記入されなかったと判定した場合は、前記特定手段が特定した前記帳票識別情報に対応付けて前記記入情報を記憶し、前記判定手段が前記しおりエリアに前記ストロークが記入されたと判定した場合は、前記特定手段が特定した前記帳票識別情報に対応付けて、前記記入情報及び前記ストロークが記入されたことを表すしおり情報を記憶することを特徴とする記憶手段と、を備えることを特徴とするしおり処理システム。
【請求項２】
電子ペンにより認識可能なドットパターンが印刷された電子ペン用帳票を使用したしおり処理システムにおいて、
前記電子ペン用帳票は、記入者が前記電子ペンにより記入を行うものであって、複数のページから構成されており、各ページの一部を折り曲げることが可能なものであって、
前記しおり処理システムは、
前記電子ペン用帳票を構成する各ページを識別するページ識別情報に対応付けて、当該ページを示す前記ドットパターン上の位置座標であるページ座標と、当該ページを折り曲げることにより特定されるしおりエリアの前記ドットパターン上の位置座標であるしおり座標と、が記憶された座標情報を取得する座標情報取得手段と、
前記電子ペン用帳票に記入された記入情報を取得する記入情報取得手段と、
前記記入情報に基づいて前記座標情報のページ座標を参照することにより、ページ識別情報を特定する特定手段と、
特定したページ識別情報が示すページに対応するページ記入情報を、前記記入情報から抽出するページ記入情報抽出手段と、
前記記入情報に基づいて前記座標情報のしおり座標を参照することにより、前記ページ識別情報特定手段が特定したページに対応するしおりエリアにストロークが記入されたか否かを判定する判定手段と、
前記判定手段が前記しおりエリアに前記ストロークが記入されなかったと判定した場合は、前記特定手段が特定した前記ページ識別情報に対応付けて前記ページ記入情報を記憶し、前記判定手段が前記しおりエリアに前記ストロークが記入されたと判定した場合は、前記特定手段が特定した前記ページ識別情報に対応付けて、前記ページ記入情報及び前記ストロークが記入されたことを表すしおり情報を記憶することを特徴とする記憶手段と、を備えることを特徴とするしおり処理システム。
【請求項３】
前記しおり情報に基づいて、前記記憶手段から前記ページ記入情報を抽出し、所定の処理を行うことを特徴とする処理手段をさらに備えることを特徴とする請求項２に記載のしおり処理システム。
【請求項４】
前記しおりエリアは、前記特定手段が特定したページ識別情報が示すページの前に位置するページの一部であることを特徴とする請求項２又は３に記載のしおり処理システム。
【請求項５】
前記しおりエリアは、前記特定手段が特定したページ識別情報が示すページの後に位置するページの一部であることを特徴とする請求項２又は３に記載のしおり処理システム。
【請求項６】
電子ペンにより認識可能なドットパターンが印刷された電子ペン用帳票を使用したコンピュータにより実行されるプログラムであって、
前記電子ペン用帳票は、記入者が前記電子ペンにより記入を行うものであって、当該帳票の一部を折り曲げることが可能であり、
前記プログラムは、
前記電子ペン用帳票を識別する帳票識別情報に対応付けて、当該帳票を折り曲げることにより特定されるしおりエリアを示す前記ドットパターン上の位置座標が記憶された座標情報を取得する座標情報取得手段、
前記電子ペン用帳票に記入された記入情報を取得する記入情報取得手段、
前記記入情報に基づいて、前記帳票識別情報を特定する特定手段、
前記記入情報に基づいて前記座標情報を参照することにより、前記特定手段が特定した前記帳票識別情報に対応する前記しおりエリアにストロークが記入されたか否かを判定する判定手段、
前記判定手段が前記しおりエリアに前記ストロークが記入されなかったと判定した場合は、前記特定手段が特定した前記帳票識別情報に対応付けて前記記入情報を記憶し、前記判定手段が前記しおりエリアに前記ストロークが記入されたと判定した場合は、前記特定手段が特定した前記帳票識別情報に対応付けて、前記記入情報及び前記ストロークが記入されたことを表すしおり情報を記憶することを特徴とする記憶手段、として前記コンピュータを機能させることを特徴とするプログラム。
【請求項７】
電子ペンにより認識可能なドットパターンが印刷された電子ペン用帳票を使用したコンピュータにより実行されるプログラムであって、
前記電子ペン用帳票は、記入者が前記電子ペンにより記入を行うものであって、複数のページから構成されており、各ページの一部を折り曲げることが可能なものであって、
前記プログラムは、
前記電子ペン用帳票を構成する各ページを識別するページ識別情報に対応付けて、当該ページを示す前記ドットパターン上の位置座標であるページ座標と、当該ページを折り曲げることにより特定されるしおりエリアの前記ドットパターン上の位置座標であるしおり座標と、が記憶された座標情報を取得する座標情報取得手段、
前記電子ペン用帳票に記入された記入情報を取得する記入情報取得手段、
前記記入情報に基づいて前記座標情報のページ座標を参照することにより、ページ識別情報を特定する特定手段、
特定したページ識別情報が示すページに対応するページ記入情報を、前記記入情報から抽出するページ記入情報抽出手段、
前記記入情報に基づいて前記座標情報のしおり座標を参照することにより、前記ページ識別情報特定手段が特定したページに対応するしおりエリアにストロークが記入されたか否かを判定する判定手段、
前記判定手段が前記しおりエリアに前記ストロークが記入されなかったと判定した場合は、前記特定手段が特定した前記ページ識別情報に対応付けて前記ページ記入情報を記憶し、前記判定手段が前記しおりエリアに前記ストロークが記入されたと判定した場合は、前記特定手段が特定した前記ページ識別情報に対応付けて、前記ページ記入情報及び前記ストロークが記入されたことを表すしおり情報を記憶することを特徴とする記憶手段、として前記コンピュータを機能させることを特徴とするプログラム。
【請求項８】
インクペンユニット及び光学的にドットパターンを読み取る読取ユニットを備える電子ペンにより記入情報が記入される電子ペン用帳票であって、当該帳票の一部を折り曲げることが可能であり、
折り曲げることによって特定されるしおり特定エリアが設けられていることを特徴とする電子ペン用帳票。
【発明の詳細な説明】
【技術分野】
【０００１】
本発明は、電子ペンで記入した情報の中から特定の情報を抽出し、処理する技術に関する。
【背景技術】
【０００２】
通常、講義を受講したり、会議に出席したりする場合、利用者は、複数の罫線から構成される大学ノートやルーズリーフに内容をメモすることが多い。このような紙媒体に記載された情報は、電子データと異なり、削除やソートを容易に行うことができない。そのため、当該紙媒体に記載された情報を電子データとしてサーバやパーソナルコンピュータ（以下、「ＰＣ」と呼ぶ。）上で管理することができれば、削除やソートを容易に行うことができるため便利である。
【０００３】
このように紙媒体に記載した情報を電子データとしてサーバやＰＣ上で管理する場合、内容がメモされた大学ノートやルーズリーフを目視で認識した利用者がパンチ入力したり、スキャナで画像データとして取り込んだりする必要がある。しかし、手書きの大学ノートやルーズリーフに基づいて電子データの入力を行うことは、時間と手間がかかり、利用者の負担が大きいという問題がある。さらに、目視に基づくパンチ入力は、手作業のため人為的ミスが発生する可能性も高い。
【０００４】
また、利用者は、重要な内容を記載したページや後からもう一度見直したいページを忘れないようにチェックしておくため、大学ノート等の当該ページにしおりをはさんだり、当該ページの隅を折ったりすることがある。しかし、このような、利用者が大学ノート等に対して行う物理的な行為をサーバやＰＣ上で管理している電子データに反映させることは困難であった。
【発明の開示】
【発明が解決しようとする課題】
【０００５】
本発明は、以上の点に鑑みてなされたものであり、利用者が電子ペン用帳票の一部を折り、チェックマークを記入することで、紙媒体としての電子ペン用帳票、及び、当該帳票に記入された情報に対応する電子データの双方に対してチェックをしたことになり、当該電子データの中から特定の情報を容易に抽出し、処理することができるしおり処理システムを提供することを課題とする。
【課題を解決するための手段】
【０００６】
本発明の１つの観点では、電子ペンにより認識可能なドットパターンが印刷された電子ペン用帳票を使用したしおり処理システムにおいて、前記電子ペン用帳票は、記入者が前記電子ペンにより記入を行うものであって、当該帳票の一部を折り曲げることが可能であり、前記しおり処理システムは、前記電子ペン用帳票を識別する帳票識別情報に対応付けて、当該帳票を折り曲げることにより特定されるしおりエリアを示す前記ドットパターン上の位置座標が記憶された座標情報を取得する座標情報取得手段と、前記電子ペン用帳票に記入された記入情報を取得する記入情報取得手段と、前記記入情報に基づいて、前記帳票識別情報を特定する特定手段と、前記記入情報に基づいて前記座標情報を参照することにより、前記特定手段が特定した前記帳票識別情報に対応する前記しおりエリアにストロークが記入されたか否かを判定する判定手段と、前記判定手段が前記しおりエリアに前記ストロークが記入されなかったと判定した場合は、前記特定手段が特定した前記帳票識別情報に対応付けて前記記入情報を記憶し、前記判定手段が前記しおりエリアに前記ストロークが記入されたと判定した場合は、前記特定手段が特定した前記帳票識別情報に対応付けて、前記記入情報及び前記ストロークが記入されたことを表すしおり情報を記憶する。
【０００７】
上記のように構成されるしおり処理システムにおいて、記入者は、まず、電子ペンを使用して電子ペン用帳票に記入を行う。そして、例えば当該帳票に記入した内容が重要であり、後で見直す必要がある場合等に、当該帳票の一部を折り、折ることで特定されるしおりエリアにチェックマークを記入する。しおり処理システムは、電子ペンの移動に伴って帳票上のドットパターンを読み取り、記入者が記入したチェックマークや文字に関する記入情報を取得する。ここで、記入情報には、当該ドットパターン上の位置座標が含まれている。電子ペンが取得した記入情報は、しおり処理システムにより取得される。しおり処理システムは、記入情報に含まれるドットパターン上の位置座標に基づいて、記入者が記入した電子ペン用帳票の帳票識別情報を特定する。さらに、しおり処理システムは、記入情報に基づいて座標情報を参照することにより、記入者が記入した電子ペン用帳票に対応するしおりエリアにチェックマークが記入されたか否かを判定する。そして、しおり処理システムは、当該しおりエリアにチェックマークが記入されていないと判定した場合、記入者が記入した電子ペン用帳票の帳票識別情報をキーとして、記入情報を記憶する。一方、当該しおりエリアにチェックマークが記入されたと判定した場合、記入者が記入した電子ペン用帳票の帳票識別情報をキーとして、記入情報及びしおり情報を記憶する。ここで、しおり情報とは、対応する電子ペン用帳票が、記入者により一部を折り曲げられ、しおりエリアにチェックマークを記入された帳票であることを表している。
【０００８】
これによれば、記入者が電子ペン用帳票の一部を折り、チェックマークを記入することで、紙媒体としての電子ペン用帳票、及び、当該帳票に記入された記入情報に対応する電子データの双方を容易にチェックし、整理することができる。即ち、通常の大学ノート等において、しおりをはさむのと同様の効果を期待することができる。
【０００９】
本発明の別の観点では、電子ペンにより認識可能なドットパターンが印刷された電子ペン用帳票を使用したしおり処理システムにおいて、前記電子ペン用帳票は、記入者が前記電子ペンにより記入を行うものであって、複数のページから構成されており、各ページの一部を折り曲げることが可能なものであって、前記しおり処理システムは、前記電子ペン用帳票を構成する各ページを識別するページ識別情報に対応付けて、当該ページを示す前記ドットパターン上の位置座標であるページ座標と、当該ページを折り曲げることにより特定されるしおりエリアの前記ドットパターン上の位置座標であるしおり座標と、が記憶された座標情報を取得する座標情報取得手段と、前記電子ペン用帳票に記入された記入情報を取得する記入情報取得手段と、前記記入情報に基づいて前記座標情報のページ座標を参照することにより、ページ識別情報を特定する特定手段と、特定したページ識別情報が示すページに対応するページ記入情報を、前記記入情報から抽出するページ記入情報抽出手段と、前記記入情報に基づいて前記座標情報のしおり座標を参照することにより、前記ページ識別情報特定手段が特定したページに対応するしおりエリアにストロークが記入されたか否かを判定する判定手段と、前記判定手段が前記しおりエリアに前記ストロークが記入されなかったと判定した場合は、前記特定手段が特定した前記ページ識別情報に対応付けて前記ページ記入情報を記憶し、前記判定手段が前記しおりエリアに前記ストロークが記入されたと判定した場合は、前記特定手段が特定した前記ページ識別情報に対応付けて、前記ページ記入情報及び前記ストロークが記入されたことを表すしおり情報を記憶することを特徴とする記憶手段と、を備える。
【００１０】
上記のように構成されたしおり処理システムにおいて、電子ペン用帳票はページ識別情報の割り振られた複数のページから構成される。ここで、ページ識別情報とは、各ページに記載されたページ番号等である。記入者は、まず、電子ペンを使用して電子ペン用帳票を構成する所定のページに記入を行う。そして、例えば当該ページに記入した内容が重要であり、後で見直す必要がある場合等に、当該ページの一部を折り、折ることで特定されるしおりエリアにチェックマークを記入する。しおり処理システムは、電子ペンの移動に伴って帳票上のドットパターンを読み取り、記入者が記入したチェックマークや文字に関する記入情報を取得する。ここで、記入情報には、当該ドットパターン上の位置座標が含まれている。電子ペンが取得した記入情報は、しおり処理システムにより取得される。しおり処理システムは、記入情報に含まれるドットパターン上の位置座標に基づいて、座標情報のページ座標を参照することにより、記入者が記入したページのページ識別情報を特定する。さらに、しおり処理システムは、記入者が記入したページに対応するページ記入情報を、前記記入情報から抽出する。
また、しおり処理システムは、記入情報に含まれるドットパターン上の位置座標に基づいて、座標情報のしおり座標を参照することにより、記入者が記入したページに対応するしおりエリアにチェックマークが記入されたか否かを判定する。そして、しおり処理システムは、当該しおりエリアにチェックマークが記入されていないと判定した場合、記入者が記入したページのページ識別情報をキーとして、対応するページ記入情報を記憶する。一方、当該しおりエリアにチェックマークが記入されたと判定した場合、記入者が記入したページのページ識別情報をキーとして、対応するページ記入情報及びしおり情報を記憶する。
【００１１】
これによれば、電子ペン用帳票が複数のページにより構成されている場合であっても、記入者がページの一部を折り、チェックマークを記入することで、紙媒体としてのページ、及び、当該ページに記入された記入情報に対応する電子データの双方を容易にチェックし、整理することができる。  上記しおり処理システムの一態様では、前記しおり情報に基づいて、前記記憶手段から前記ページ記入情報を抽出し、所定の処理を行うことを特徴とする処理手段をさらに備える。これによれば、しおりエリアにチェックマークが記入されたページの記入情報に対応する電子データを容易に抽出し、所定の処理を行うことができる。所定の処理とは、抽出した電子データをまとめて記入者に提示する等であり、任意の処理を適用することができる。
【００１２】
上記しおり処理システムの他の一態様では、前記しおりエリアは、前記特定手段が特定したページ識別情報が示すページの前に位置するページの一部である。また、前記しおりエリアは、前記特定手段が特定したページ識別情報が示すページの後に位置するページの一部であることを特徴とする。これによれば、ページの一部を折り曲げることで特定されるしおりエリアが存在するページと、重要な内容等が記載されているためチェックしておきたいページとが一致しない場合であっても、本発明を容易に適用することができる。
【００１３】
本発明の別の観点では、電子ペンにより認識可能なドットパターンが印刷された電子ペン用帳票を使用したコンピュータにより実行されるプログラムであって、前記電子ペン用帳票は、記入者が前記電子ペンにより記入を行うものであって、当該帳票の一部を折り曲げることが可能であり、前記プログラムは、前記電子ペン用帳票を識別する帳票識別情報に対応付けて、当該帳票を折り曲げることにより特定されるしおりエリアを示す前記ドットパターン上の位置座標が記憶された座標情報を取得する座標情報取得手段、前記電子ペン用帳票に記入された記入情報を取得する記入情報取得手段、前記記入情報に基づいて、前記帳票識別情報を特定する特定手段、前記記入情報に基づいて前記座標情報を参照することにより、前記特定手段が特定した前記帳票識別情報に対応する前記しおりエリアにストロークが記入されたか否かを判定する判定手段、前記判定手段が前記しおりエリアに前記ストロークが記入されなかったと判定した場合は、前記特定手段が特定した前記帳票識別情報に対応付けて前記記入情報を記憶し、前記判定手段が前記しおりエリアに前記ストロークが記入されたと判定した場合は、前記特定手段が特定した前記帳票識別情報に対応付けて、前記記入情報及び前記ストロークが記入されたことを表すしおり情報を記憶することを特徴とする記憶手段、として前記コンピュータを機能させる。
【００１４】
上記プログラムをコンピュータにより実行することにより、上述のしおり処理システムを実現することができる。また、上述のしおり処理システムの各態様も同様に実現することができる。
【００１５】
本発明のさらに別の観点では、インクペンユニット及び光学的にドットパターンを読み取る読取ユニットを備える電子ペンにより記入情報が記入される電子ペン用帳票は、当該帳票の一部を折り曲げることが可能であり、折り曲げることによって特定されるしおりエリアが設けられている。このような電子ペン用帳票の一部を折り、しおりエリアにチェックマークを記入することにより、紙媒体としての電子ペン用帳票、及び、当該帳票に記入された情報に対応する電子データの双方に対してチェックをしたことになり、当該電子データの中からチェックした情報を容易に抽出し、処理することができる。
【発明の効果】
【００１６】
本発明によれば、利用者が電子ペン用帳票の一部を折り、チェックマークを記入することで、紙媒体としての電子ペン用帳票、及び、当該帳票に記入された情報に対応する電子データの双方に対してチェックをしたことになり、当該電子データの中から特定の情報を容易に抽出し、処理することができる。
【発明を実施するための最良の形態】
【００１７】
以下、図面を参照して本発明の好適な実施の形態について説明する。まず、本発明のシステムにおいて入力デバイスとして使用される電子ペンの概要について説明する。
【００１８】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００１９】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００２０】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２１】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２２】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２３】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２４】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２５】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００２６】
バッテリー１４は電子ペン１０内の各要素に電源供給するためのものであり、例えば電子ペンのキャップ（図示せず）により電子ペン１０自体の電源のオン／オフを行うことができる。
【００２７】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００２８】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００２９】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００３０】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３１】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３２】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３３】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３４】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３５】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３６】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３７】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００３８】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００３９】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００４０】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４１】
なお、本明細書においては、「印刷」の語は、通常の印刷のみならず、プリンタによるプリントも含む概念とする。
【００４２】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入データをそのサービスサーバ２７へ送信することになる。
【００４３】
なお、上記の例では端末装置２５、問い合わせサーバ２６及びサービスサーバ２７が別個に構成されているが、これらの幾つか又は全てを１つの装置として構成することも可能である。本実施形態において、後述するサーバは、問い合わせサーバ２６及びサービスサーバ２７を兼ねているものとする。
【００４４】
[しおり処理システム]
次に、本発明のしおり処理システムについて説明する。図７にしおり処理システム１００の概略構成を示す。図７に示すしおり処理システム１００は、利用者が電子ペン用帳票（以下、「ノート」と呼ぶ。）の一部を折って、チェックマークを記入することにより、当該帳票に記入した情報に対応する電子データを利用者の意図に沿って容易に整理し、所定の処理を行うことができるものである。
【００４５】
図７に示すように、しおり処理システム１００は、端末装置２５及びサーバ５がネットワーク２を通じて接続されることにより構成される。ここで、ネットワーク２の１つの好適な例はインターネットである。また、端末装置２５とは、利用者が使用するＰＣや携帯電話といったネットワーク２を介してデータの授受が可能な端末である。なお、サーバ５は、記入情報データベース（以下、「ＤＢ」と呼ぶ。）７に接続されている。
【００４６】
まず、本システムおける記入情報の整理方法の概要を述べておく。ノート３は、上述の専用ペーパーとして作成されたものであり、図８に示すように複数のページから構成されているものとする。ノート３には、複数のページに一意に割り振られた通し番号であるページ番号７０や、利用者が折り曲げてチェックマークを記入する部分に当たるしおりエリアが設定されている。
【００４７】
なお、ノート３は、図８（ａ）及び（ｂ）に示すように見開き２ページの左側が奇数ページ、右側が偶数ページとなるように構成されており、紙媒体としてのノート３及び当該ノート３に記入された記入情報に対応する電子データの双方に対してしおり効果を有するようにチェックをするためには、各ページの上隅を折り、折ることにより表面に露出したエリアに対し電子ペン１０を使用してチェックマークを記入することが必要である。ここで、紙媒体としてのノート３におけるしおり効果は、実際にページの一部を折ることにより容易に所定のページを開くことができる効果をいう。また、記入情報に対応する電子データにおけるしおり効果は、当該記入情報から容易に所定のページに記入されたデータを抽出し、処理することができる効果をいう。
【００４８】
利用者は、電子ペン１０を使用して所定の内容を当該ノート３に記入する。そして、しおり効果を発生させたいページにおいては、当該ページの上隅を折り、折ることにより表面に露出したしおりエリアにチェックマークを記入する。電子ペン１０は記入された内容に対応するストロークデータを取得し、電子ペン１０内のメモリ１２に一時的に記憶した後、当該ストロークデータを端末装置２５へ送信する。端末装置２５は、電子ペン１０からストロークデータを受信し、ネットワーク２を通じてサーバ５へ送信する。サーバ５は、ストロークデータを、利用者がノート３に対して記入した内容を示す記入情報として取得し、各ページのページ番号に対応付けて記入情報ＤＢ７に記憶する。
【００４９】
さらに、サーバ５は、記入情報に、ノート３のドットパターン上においてしおりエリアが位置する座標を含むストロークがあるか否かを判定する。しおりエリアが位置する座標を含むストロークがある場合、即ち、しおりエリアにチェックマークが記入されている場合、サーバ５は、当該記入情報に基づいて、ノート３のどのページに対応するしおりエリアにチェックマークが記入されたかを特定する。そして、特定したページのページ番号に対応付けてしおり効果が発生している旨を表すしおり情報を記入情報ＤＢ７に記憶する。さらに、サーバ５は、しおり情報が対応付けられているページの記入情報を記入情報ＤＢ７から抽出し、所定の処理を行う。なお、本実施形態においてノート３に記入された文字等の内容は、ページ番号をキーとして、記入情報ＤＢ７にイメージデータとして記憶されるものとする。
【００５０】
このように、利用者が電子ペン１０を使用してノート３の一部を折り、チェックマークを記入することで、サーバ５は、紙媒体であるノート３及び当該ノート３に記入された記入情報に対応する電子データの双方に対して、しおり効果を発生させることができる。
【００５１】
なお、図８に示すノート３には、便宜上送信ボックスが記載されていないが、ノート３にも図６に示す送信ボックス３９と同一の機能を有する送信ボックスを設けてあるものとする。
【００５２】
[ノート]
次に、ノート３について説明する。本発明のシステムでは、図８に示すようなノート３は、上述した専用ペーパーとして作成されている。即ち、図５に例示するように台紙３０上に所定のドットパターン３２が印刷されており、その上に所定のページ番号や罫線などが印刷されている。先に述べたように、ドットパターン３２は電子ペン１０が認識することができるように、カーボンを含んだインキにより印刷されている。一方、ページ番号や罫線などの図案３４は、通常の（カーボンを含まない）インキにより印刷されているため、電子ペン１０がそれを認識することはない。
【００５３】
図８（ａ）は、ノート３のページ番号「０１」及び「０２」のページを開いた状態を示す図である。また、図８（ｂ）は、ノート３のページ番号「０３」及び「０４」のページを開いた状態を示す図である。
【００５４】
ページ番号「０１」のページに対してしおり効果を発生させたいと考えた場合、利用者は、図８（ａ）の左側に示すように、上隅を折ることで座標８０ａ、８０ｂ及び８０ｃに囲まれたしおりエリア５０を表面に露出させる。そして、利用者は、電子ペン１０を使用して当該しおりエリア５０にチェックマークを記入する。このように、ページ番号「０１」のページに対応するしおりエリア５０は、前のページを構成するドットパターンの一部である。
【００５５】
一方、ページ番号「０２」のページに対してしおり効果を発生させたいと考えた場合、利用者は、図８（ａ）の右側に示すように、上隅を折ることでしおりエリア５１を表面に露出させる。そして、利用者は、電子ペン１０を使用して当該しおりエリア５１にチェックマークを記入する。このように、ページ番号「０２」のページに対応するしおりエリア５１は、次のページを構成するドットパターンの一部である。つまり、しおりエリア５１は、図８（ｂ）の左側において網掛けで示すような、次のページであるページ番号「０３」のページを構成するドットパターンの一部である。
【００５６】
ページ番号「０３」のページに対してしおり効果を発生させたいと考えた場合、利用者は、図８（ｂ）の左側に示すように、上隅を折ることでしおりエリア５２を表面に露出させる。そして、利用者は、電子ペン１０を使用して当該しおりエリア５２にチェックマークを記入する。このように、ページ番号「０３」のページに対応するしおりエリア５２は、図８（ａ）の右側において斜線で示すような、前のページであるページ番号「０２」のページを構成するドットパターンの一部である。
【００５７】
このように、しおり効果を発生させたいページと、折り曲げることで表面に露出するしおりエリアが存在するページは必ずしも一致するものではない。よって、本発明では、後述するしおり座標テーブルにより、しおり効果が発生するページと、当該ページに対応するしおりエリアの座標とを予め対応付けて記憶している。
【００５８】
[サーバ]
次に、サーバ５について詳しく説明する。図９は、しおり処理システム１００における、特にサーバ５の内部構成を示す。図示のように、サーバ５は、しおり処理プログラム５０１、記入情報取得機能５０２、イメージデータ抽出機能５０３、ページ座標テーブル５０４、しおりページ特定機能５０５、しおり座標テーブル５０６、記憶機能５０７及びしおり参照機能５０８から構成されている。なお、各機能は、サーバ５が有するＣＰＵが予め用意されたプログラムを実行することにより実現される。
【００５９】
しおり処理プログラム５０１は、電子ペン１０から取得した記入情報に基づいて、ページ座標テーブル５０４を参照することにより、ノート３の各ページのページ番号をキーとして、対応する記入情報を記入情報ＤＢ７に記憶するプログラムである。また、しおり処理プログラム５０１は、電子ペン１０から取得した記入情報に基づいて、しおり座標テーブル５０６を参照することにより、しおりエリアにチェックマークが記入された場合に、対応するページを特定し、特定したページのページ番号をキーとして、しおり情報を記入情報ＤＢ７に記憶するプログラムである。
【００６０】
記入情報取得機能５０２は、しおり処理プログラム５０１を実行することにより、利用者が電子ペン１０を使用してノート３に記入した記入情報を取得する機能である。
【００６１】
イメージデータ抽出機能５０３は、記入情報取得機能５０２が取得した記入情報に基づいて、ページ座標テーブル５０４を参照することにより、各ページに対応する記入情報のイメージデータを抽出する機能である。ここで、ページ座標テーブル５０４について説明する。ページ座標テーブル５０４は、図１０（ａ）に示すように、ページ番号をキーとして座標データを記憶している。ページ番号は、ノート３を構成する各ページに記載された通し番号である。また、座標データは、各ページのドットパターンの範囲を示す情報であり、図８（ｂ）に示すような、各ページの左上の座標８１ａ及び右下の座標８１ｂにより表されている。イメージデータ抽出機能５０３は、ページ座標テーブル５０４の座標データに基づいて、記入情報取得機能５０２が取得した記入情報から、各ページに対応する記入情報をイメージデータで抽出する。
【００６２】
しおりページ特定機能５０５は、記入情報取得機能５０２が取得した記入情報に基づいて、しおり座標テーブル５０６を参照することにより、チェックマークが記入されたしおりエリアに対応するページを特定する機能である。ここで、しおり座標テーブル５０６について説明する。しおり座標テーブル５０６は、図１０（ｂ）に示すように、ページ番号をキーとして、座標データ及び実際に位置するページ番号を記憶している。ページ番号は、ノート３を構成する各ページに記載された通し番号である。また、座標データは、対応するページ番号のページにしおり効果を発生させる場合にチェックマークを記入するしおりエリアの配置を示す情報であり、図８（ａ）に示すような、座標８０ａ乃至８０ｃにより表されている。つまり、座標データは、対応するページ番号のページの上隅を折り曲げた際に表面に露出するエリアを示す情報である。しおりページ特定機能５０５は、しおり座標テーブル５０６の座標データに基づいて、記入情報取得機能５０２が取得した記入情報からしおりエリアに記入された記入情報を抽出し、当該しおりエリアに対応するページ番号を特定する機能である。
【００６３】
記憶機能５０７は、イメージデータ抽出機能５０３が抽出したイメージデータを対応するページ番号をキーとして、記入情報ＤＢ７に記憶する機能である。また、記憶機能５０７は、しおりページ特定機能５０５が特定したページ番号をキーとして、記入情報ＤＢ７にしおり効果が発生していることを表すしおり情報を記憶する機能である。つまり、記入情報ＤＢ７は、図１１に示すように、ページ番号をキーとして、対応するイメージデータ及びしおり情報を記憶している。
【００６４】
しおり参照機能５０８は、記入情報ＤＢ７にしおり情報が記憶されているページ番号に対応するイメージデータを抽出し、端末装置２５に送信することで、しおり効果の発生しているページのイメージデータのみを利用者に提示する機能である。言い換えると、しおり参照機能５０８は、記入情報ＤＢのしおり情報項目が「あり」となっているページ番号に対応するイメージデータを抽出し、利用者に提示する機能である。
【００６５】
なお、本実施形態では、しおり参照機能５０８により、記入情報ＤＢ７にしおり情報が記憶されているページ番号に対応するイメージデータを抽出し、利用者に提示することとしているが、本発明はこれに限定されるものではなく、抽出したイメージデータに対して任意の処理を行うことができる。本発明は、しおり効果が発生しているか否かにより、ノート３の所定のページに記入された情報に対応する電子データを利用者の意図に沿って整理することを目的としているからである。
【００６６】
[しおり処理]
次に、しおり処理システム１００により実行されるしおり処理について説明する。図１２は、しおり処理のフローチャートである。利用者は、まず、電子ペン１０を使用して、ノート３の任意のページに所定の文字を記入する（ステップＳ１）。ここで、所定の文字とは、例えば会議や講義の内容などである。ノート３の任意のページへの記入が終了し、当該ページに重要な内容を記入したため後で見直す必要があるとして、しおり効果を発生させる場合、利用者は、当該ページの上隅を折り、折ることで表面に露出したしおりエリアに電子ペン１０を使用してチェックマークを記入する（ステップＳ２）。そして、利用者は、ノート３上の送信ボックスにチェックマークを記入することにより、端末装置２５を介して、記入情報をサーバ５へ送信する（ステップＳ３）。
【００６７】
なお、複数のページに記入をし、例えばその中の２ページに対してしおり効果を発生させたい場合、利用者は、当該２ページの各上隅を折ることにより表面に露出した各しおりエリアにチェックマークを記入する。そして、ノート３上の送信ボックスにチェックマークを記入することにより、端末装置２５を介して、記入情報をサーバ５へ送信する。
【００６８】
サーバ５は、記入情報を取得し、当該記入情報に基づいてページ座標テーブルを参照することにより、ページ毎のイメージデータを抽出する（ステップＳ７）。そして、サーバ５は、各ページのページ番号をキーとして、対応するイメージデータを記入情報ＤＢ７に記憶する（ステップＳ８）。さらに、サーバ５は、記入情報に基づいてしおり座標テーブルを参照することにより、チェックマークが記入されたしおりエリアに対応するページを特定する（ステップＳ９）。即ち、しおり効果が発生したページを特定する。そして、サーバ５は、特定したページのページ番号をキーとして、しおり情報を記入情報ＤＢ７に記憶する（ステップＳ１０）。次に、サーバ５は、しおり効果が発生しているページに対応するイメージデータのみを記入情報ＤＢ７から抽出し、端末装置２５へ送信することで利用者へ提示する（ステップＳ１１）。これにより、しおり処理は完了する。
【００６９】
このように、本発明によれば、利用者がノート３を構成するページの一部を折り、チェックマークを記入することで、当該ページに記入された情報に対してしおり効果を発生させることができる。つまり、複数のページに記入した記入情報の中から、しおり効果が発生している特定の情報のみを容易に抽出して整理したり、所定の処理を行ったりすることが可能となる。
【００７０】
なお、本実施形態では、しおり処理において、ノート３の複数のページに記入した後であっても、一括で記入情報をサーバ５へ送信することとしているが、本発明はこれに限定されるものではなく、１ページ記入する毎に記入情報をサーバ５へ送信することとしてもよい。
【００７１】
また、本実施形態では、ページ座標テーブルとしおり座標テーブルを図１０（ａ）及び（ｂ）に示すように別々のテーブルとしているが、本発明はこれに限定されるものではなく、ページ番号をキーとして１つのテーブルとすることも可能である。
【００７２】
また、本実施形態では、しおりエリアを、図８に示すようにページの上隅に設定することとしているが、本発明はこれに限定されるものではなく、下隅など任意の位置に配置することができる。
【００７３】
[変形例]
本実施形態では、サーバ５が、電子ペン１０により記入された記入情報に対応する電子データを取得し、しおり処理を行うこととしている。これによれば、サーバ５は、しおり処理を適用しながら、複数の利用者の記入情報を一括管理することができる。また、サーバ５がしおり処理を行うため、端末装置２５の負荷を軽減することが可能である。
【００７４】
しかし、本発明はこれに限定されるものではなく、図９に示すような、サーバ５が保有するしおり処理プログラム５０１と、各機能５０２乃至５０８とを端末装置２５が保有し、端末装置２５がしおり処理を行うこととしてもよい。これによれば、記入情報に対応する電子データは、ネットワーク２を介してサーバ５へ送信されることなく、電子ペン１０から直接端末装置２５により取得される。これによれば、利用者は、自身が使用するＰＣ上において、しおり処理を適用しながら、自身の記入した記入情報を管理することができる。
【産業上の利用可能性】
【００７５】
このしおり処理システムによって、利用者が電子ペン用帳票の一部を折り、チェックマークを記入することで、紙媒体としての電子ペン用帳票、及び、当該帳票に記入された情報に対応する電子データの双方に対してチェックをしたことになり、当該電子データの中から特定の情報を容易に抽出し、処理することができる。
【図面の簡単な説明】
【００７６】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】本発明におけるしおり処理システムの概略構成を示す図である。
【図８】ノートの例を示す。
【図９】図７に示すしおり処理システムに含まれるサーバの機能ブロック図である。
【図１０】ページ座標テーブル及びしおり座標テーブルのデータ構造を模式的に示す図である。
【図１１】記入情報ＤＢのデータ構造を模式的に示す図である。
【図１２】本実施形態におけるしおり処理のフローチャートである。
【符号の説明】
【００７７】
２…ネットワーク
３…ノート
５…サーバ
７…記入情報ＤＢ
１０…電子ペン
１１…プロセッサ
１２…メモリ
１３…データ通信ユニット
１４…バッテリー
２５…端末装置
２６…問い合わせサーバ
２７…サービスサーバ
１００…しおり処理システム
【図１】
2005293463.tif 000003
【図２】
2005293463.tif 000004
【図３】
2005293463.tif 000005
【図４】
2005293463.tif 000006
【図５】
2005293463.tif 000007
【図６】
2005293463.tif 000008
【図７】
2005293463.tif 000009
【図８】
2005293463.tif 000010
【図９】
2005293463.tif 000011
【図１０】
2005293463.tif 000012
【図１１】
2005293463.tif 000013
【図１２】
2005293463.tif 000014